(57)【要約】【課題】  仕切弁が閉弁不能となるなどしても、分岐管の止水作業を容易に、かつ確実に行い得るようにする。【解決手段】  分岐管４の内周面の雌ねじ６に螺合可能な雄ねじ部１３を有するとともに、内部に、雄ねじ部１３の先端面に開口する中空孔と、それに連通して後端部外周面に開口する水抜き孔１９とを有する止水プラグ９と、この止水プラグ９の前後外周面を所定の空隙をもって取り囲んだ着脱自在に装着される水よけカバー１０と、止水プラグ９の後端部に、水抜き孔１９を密閉するように取付けられる止水キャップ１１とからなる止水装置８を用いる。【選択図】  図１
2005265086.tif 000002
【特許請求の範囲】
【請求項１】
水道本管等に取付けられた分岐管における開口端部内周面の雌ねじに螺合して接続された枝管を撤去した後、前記分岐管の雌ねじに止水プラグの先端部を螺合して取付けるに際し、分岐管より流出する水を、前記止水プラグの前後外周面を所要の空隙をもって取り囲んだ水よけカバーの前方内周面で受け止めるとともに、止水プラグの内部の中空孔を通して後端部の半径方向を向く水抜き孔より流出させて水よけカバーの後方内周面で受け止め、止水プラグの先端部の螺合が完了した後、止水プラグの後端部に止水キャップを装着して前記水抜き孔を密閉し、最後に、前記水よけカバーを止水プラグより取外すことを特徴とする分岐管の止水方法。
【請求項２】
分岐管の開口端部内周面に形成された雌ねじに螺合可能な雄ねじ部を先端部に有するとともに、前記雄ねじ部の先端面に開口する中空孔と、該中空孔と連通して後端部の外周面に開口する半径方向を向く水抜き孔とを有する止水プラグと、前記止水プラグの外周面の略中間部に、その外周面を所要の空隙をもって取り囲んだ着脱可能に装着した水よけカバーと、前記止水プラグの後端部に、前記水抜き孔を密閉するようにして取付けられる止水キャップとを備えることを特徴とする分岐管の止水装置。
【請求項３】
止水プラグにおける雄ねじ部の先端に、該雄ねじ部の外径より若干小径のガイド部を突設した請求項２に記載の分岐管の止水装置。
【請求項４】
止水プラグの外周面の中間部に大径部を設け、その外周面に形成した雄ねじに、水よけカバーの内周面の隔壁に形成した雌ねじ孔を螺合することにより、止水プラグの外周面に水よけカバーを着脱可能に取付けた請求項２または３に記載の分岐管の止水装置。
【請求項５】
止水プラグの後端部外周面に雄ねじを形成し、この雄ねじに、止水キャップの内周面の雌ねじを螺合することにより、止水プラグの後端部に止水キャップを取付けた請求項２ないし４のいずれかに記載の分岐管の止水装置。
【請求項６】
止水キャップの先端面と、それが当接する止水プラグの大径部の側端面との間に、パッキンを設けた請求項４または５に記載の分岐管の止水装置。
【請求項７】
止水プラグと止水キャップとの後端部に、回転工具を差し込んで回転させうる多角形の頭部を設けた請求項２ないし６のいずれかに記載の分岐管の止水装置。
【発明の詳細な説明】
【技術分野】
【０００１】
本発明は、水道本管等に取付けられた分岐用継手から延設した枝管を撤去するに際し、撤去部を確実かつ簡便に止水する止水方法およびそれに用いる止水装置に関する。
【背景技術】
【０００２】
水道本管に分岐用の枝管を不断水状態で接続するには、通常、仕切弁付きの分岐用継手が用いられ、枝管を接続したり、取外して交換したりする際に仕切弁を閉じて、水道本管から分岐用継手の分岐管に流入する水の流れを一時遮断することにより、枝管着脱時の施工性を向上することができる。
【０００３】
また、分岐用の枝管が不要となるなどして撤去する際は、分岐用継手を水道本管に取付けたままの状態に残して、分岐管を止水する必要があるが、従来は、例えば特許文献１に記載されている止水装置により行われていた。
【０００４】
【特許文献１】特開昭６３−１３９９７号公報
【発明の開示】
【発明が解決しようとする課題】
【０００５】
上記特許文献１に記載されている止水装置及びそれによる止水方法では、複雑でかつ大がかりな止水装置を用いるため、その製造コストが増大するとともに、止水するまでの多くの工数を要し、作業能率が悪い。
【０００６】
また、仕切弁の開閉作業を伴うので、仕切弁が作動不良となった場合、すなわち、例えば長期間地中に埋設されて、仕切弁開閉用のねじが錆付き、それが回動不能もしくは回動途中で止まるなどして、仕切弁が完全に閉弁されなくなった場合に、上記止水装置を用いて止水することができなくなる。
【０００７】
このようなときには、分岐管より水を流出させたまま、分岐用の枝管（迂回管）を撤去したのち、分岐管の開口端を、栓や閉塞板などにより閉塞して止水する必要がある。
【０００８】
しかし、このような方法では、特に水圧が大きいと、分岐管より噴出した水が周囲に飛散して作業者が大量の水をかぶるなど、止水作業が困難となる。
【０００９】
このような問題は、水道本管等に、分岐用継手や仕切弁を設けないで、分岐管が直接結合され、それに接続された枝管を撤去した後に分岐管を止水しようとする際にも生じる。
【００１０】
本発明は、上記問題点に鑑みてなされたもので、仕切弁が開閉不能となったり、仕切弁が装着されていない分岐管であっても、それの止水作業を容易に、かつ確実に行い得るようにした分岐管の止水方法およびその止水装置を提供することを目的としている。
【課題を解決するための手段】
【００１１】
上記課題を解決するために、本発明の請求項１に記載の分岐管の止水方法は、水道本管等に取付けられた分岐管における開口端部内周面の雌ねじに螺合して接続された枝管を撤去した後、前記分岐管の雌ねじに止水プラグの先端部を螺合して取付けるに際し、分岐管より流出する水を、前記止水プラグの前後外周面を所要の空隙をもって取り囲んだ水よけカバーの前方内周面で受け止めるとともに、止水プラグの内部の中空孔を通して後端部の半径方向を向く水抜き孔より流出させて水よけカバーの後方内周面で受け止め、止水プラグの先端部の螺合が完了した後、止水プラグの後端部に止水キャップを装着して前記水抜き孔を密閉し、最後に、前記水よけカバーを止水プラグより取外すことを特徴としている。
この特徴によれば、止水プラグを分岐管の雌ねじに螺合して取付ける際に、分岐管より流出する水は、水よけカバーの前後内周面で受け止めることができるので、後方に排出される水圧が弱められ、止水プラグ、止水キャップの取付け及び止水作業を容易に行うことができる。また、止水後に水よけカバーを取外すので、分岐管の開口端部が径方向に拡がることはなく、コンパクトな止水状態となる。
【００１２】
本発明の請求項２に記載の分岐管の止水装置は、分岐管の開口端部内周面に形成された雌ねじに螺合可能な雄ねじ部を先端部に有するとともに、前記雄ねじ部の先端面に開口する中空孔と、該中空孔と連通して後端部の外周面に開口する半径方向を向く水抜き孔とを有する止水プラグと、前記止水プラグの外周面の略中間部に、その外周面を所要の空隙をもって取り囲んだ着脱可能に装着した水よけカバーと、前記止水プラグの後端部に、前記水抜き孔を密閉するようにして取付けられる止水キャップとを備えることを特徴としている。
この特徴によれば、止水プラグ、水よけカバー及び止水キャップという構造の簡単な３部材のみで、分岐管を容易に、かつ確実に止水することができる。また、止水装置を安価に製造することができる。
【００１３】
本発明の請求項３に記載の分岐管の止水装置は、請求項２に記載の分岐管の止水装置であって、止水プラグにおける雄ねじ部の先端に、該雄ねじ部の外径より若干小径のガイド部を突設したことを特徴としている。
この特徴によれば、分岐管の開口部を直接目視できなくても、止水プラグの雄ねじ部を、ガイド部により案内して分岐管の雌ねじに簡単に螺合することができる。
【００１４】
本発明の請求項４に記載の分岐管の止水装置は、請求項２または３に記載の分岐管の止水装置であって、止水プラグの外周面の中間部に大径部を設け、その外周面に形成した雄ねじに、水よけカバーの内周面の隔壁に形成した雌ねじ孔を螺合することにより、止水プラグの外周面に水よけカバーを着脱可能に取付けることを特徴としている。
この特徴によれば、止水プラグの外周面と水よけカバーの内周面との間に所要の空間を形成して、水よけカバーを、止水プラグの外周面に着脱可能に容易に取付けることができる。
【００１５】
本発明の請求項５に記載の分岐管の止水装置は、請求項２ないし４のいずれかに記載の分岐管の止水装置であって、止水プラグの後端部外周面に雄ねじを形成し、この雄ねじに、止水キャップの内周面の雌ねじを螺合することにより、止水プラグの後端部に止水キャップを取付けたことを特徴としている。
この特徴によれば、止水プラグへの止水キャップの取付けが容易となる。
【００１６】
本発明の請求項６に記載の分岐管の止水装置は、請求項４または５に記載の分岐管の止水装置であって、止水キャップの先端面と、それが当接する止水プラグの大径部の側端面との間に、パッキンを設けたことを特徴としている。
この特徴によれば、分岐管より流出する水の圧力が大きくても、分岐管を確実に止水することができる。
【００１７】
本発明の請求項７に記載の分岐管の止水装置は、請求項２ないし６のいずれかに記載の分岐管の止水装置であって、止水プラグと止水キャップとの後端部に、回転工具を差し込んで回転させうる多角形の頭部を設けたことを特徴としている。
この特徴によれば、止水プラグ及び止水キャップを、回動工具を用いて強固に、かつ確実に締め付けることができる。
【発明を実施するための最良の形態】
【００１８】
以下、本発明の最良と思われる実施形態を、図面に基づいて説明する。
【００１９】
図１において、１は、水道本管２の外周面に、それに穿孔された分岐孔３を囲むようにして密閉状に取付けられた分岐用半割継手で、その水道本管２と直交する方向を向く分岐管４には、外部からの操作で分岐管４内の流路を開閉する弁体（図示略）が収容された仕切弁５が取付けられている。
【００２０】
分岐管４の開口端部の内周面には、雌ねじ６が形成され、この雌ねじ６に、分岐用の枝管７が、その端部外周面に形成された雄ねじ（図示略）を螺合することにより、接続されている。
【００２１】
８は、本発明の止水装置で、図２の拡大半断面図にも示すように、止水プラグ９と、水よけカバー１０と、止水キャップ１１とからなっている。
【００２２】
止水プラグ９は、軸方向のほぼ中央部に形成された大径部１２と、その左方に形成された、上記分岐管４の雌ねじ６に螺合可能な先細りテーパー状の雄ねじ部１３と、大径部１２の右方の小径部１４と、その右端（後端）に連設された六角形の頭部１５とを備え、大径部１２における左端部を除いた外周面と、小径部１４の外周面とには、雄ねじ１６が形成されている。
【００２３】
雄ねじ部１３の先端には、その外径より若干小径をなし、かつ先端部の外周面がテーパー面をなすガイド部１７が連設されている。
【００２４】
止水プラグ９における頭部１５を除いた内部には、ガイド部１７の先端面に開口する中空孔１８が形成され、また、小径部１４には、止水プラグ９の軸線と直交する半径方向を向くとともに、中空孔１８と連通する水抜き孔１９が穿設されている。
【００２５】
上記水よけカバー１０は、止水プラグ９の長さとほぼ等しい長さの前後両端が開口する円筒形をなし、その内径は、止水プラグ９及び止水キャップ１１の最大外径よりも十分大きく、該止水プラグ９と止水キャップ１１の外周面を余裕をもって抱囲しうる寸法とされている。
【００２６】
水よけカバー１０は、その内周面の略中間部の隔壁１０ａの中心に形成された雌ねじ孔２０を、上記大径部１２の雄ねじ１６に小径軸１４側より螺合することにより、止水プラグ９の外周面全体を囲むようにして着脱可能に取付けられる。
【００２７】
上記止水キャップ１１は、内周面に雌ねじ２１が形成された袋ナット状をなし、右端（後端）には六角形の頭部２２が一体的に連設されている。止水キャップ１１の雌ねじ２１を、止水プラグ９の小径部１４の雄ねじ１６に、先端面が大径部１２の側端面と当接するまで螺合することにより、小径部１４に穿設された水抜き孔１９が止水キャップ１１により密閉されるようになっている。
【００２８】
大径部１２の側端面には、環状凹溝２３が形成され、この凹溝２３に嵌合したＯリング等のパッキン２４を、止水キャップ１１の先端面により押圧することにより、雄ねじ１６と雌ねじ２１との螺合部に侵入した水が外部に洩れ出るのを完全に防止しうるようになっている。
【００２９】
次ぎに、上記止水装置８を用いて、分岐管４を止水する方法について図３ないし図５に基づき説明する。図３は分岐管に止水プラグと水よけカバーを取付けた状態の縦断側面図であり、図４は止水プラグに止水キャップを取付けた状態の縦断側面図であり、図５は水よけカバーを取外した止水終了状態の側面図である。
【００３０】
前述したように、水道本管２に連通した分岐用の枝管７を撤去し、その後に分岐管４を止水しようとするときに、仕切弁５が作動不良で、それによる止水が出来なくなることがある。この場合に、上記止水装置８を用いて容易に止水することができる。
【００３１】
まず図３に示すように、枝管７を取外した分岐管４の雌ねじ６に、予め水よけカバー１０を取付けておいた止水プラグ９の雄ねじ部１３を、六角形の頭部１５を回動工具により回してねじ込む。
【００３２】
この際、雄ねじ部１３の先端には、それよりも小径で、かつ先端部の外周面をテーパー面としたガイド部１７が形成されているので、分岐管４の開口部が目視できなくても、雄ねじ部１３を雌ねじ６に容易に螺合することができる。また、雄ねじ部１３は、先細りテーパー状をなしているため、それと、分岐管４の雌ねじ６との螺合部より水が洩れることはない。
【００３３】
分岐管４より流出する水を、止水プラグ９の中空孔１８及び水抜き孔１９より外部に排出させながらねじ込むので、止水プラグ９に加わる水圧の抵抗が小さくなり、その取付作業が容易となる。しかも、止水プラグ９の周囲は、円筒形の水よけカバー１０により囲まれており、雄ねじ部１３のねじ込み時にその外周面より流出する水は、矢印のように、水よけカバー１０の前方内周面から水道本管２の方向へと流れるとともに、水抜き孔１９を通して半径方向に流出する水は、水よけカバー１０の後方内周面から水道本管と反対の方向に排出されるので、周囲に飛散することはなく、作業性が向上する。
【００３４】
止水プラグ９と水よけカバー１０を分岐管４に取付けた後、図４に示すように、止水プラグ９の小径軸１４の雄ねじ１６に、止水キャップ１１を、その頭部２２を回動工具により回してねじ込み、先端面を、大径部１２の側端面の凹溝２３に嵌合したパッキン２３（図２参照）に当接させて、水抜き孔１９を密閉する。この際も、水抜き孔１９より半径方向に向かって水が流出するので、止水キャップ１１に水圧が作用せず、その取付けが容易となる。
【００３５】
最後に、図５に示すように、止水プラグ９より水よけカバー１０を取外せば、分岐管４の止水作業は終了する。
【００３６】
本発明は、上記実施形態に限定されるものではない。
【００３７】
上記実施形態の止水装置において、水よけカバー１０は、その内周面の隔壁１０ａに形成した雌ねじ孔２０を、止水プラグ９の大径部１２の外周面の雄ねじ１６に螺合することにより、止水プラグ９の外周面に着脱可能に取付けられているが、このような雌ねじ孔２０や雄ねじ１６を設けないで、大径部１２の外周面に、隔壁１０ａに穿設した嵌合孔を、単に摺動可能に嵌合させて取付けてもよい。
【００３８】
また、止水キャップ１１も、ねじによる取付形態ではなく、圧嵌等の手段により、止水プラグ９の小径部１４に嵌着することもできる。
【００３９】
本発明は、上記のような分岐用の半割継手１や仕切弁５のない分岐管、例えば水道本管２に予め分岐管が溶接又はフランジ等により直接結合され、その分岐管に接続した枝管を不断水状態で撤去した後、分岐管を止水する際にも適用することができる。
【図面の簡単な説明】
【００４０】
【図１】本発明の止水装置と、それが取付けられる仕切弁付き分岐管とを一部を縦断して示す側面図である。
【図２】本発明の止水装置の構成部材を組付けた状態の拡大半断面図である。
【図３】本発明の止水方法において、分岐管に止水プラグと水よけカバーを取付けた状態の縦断側面図である。
【図４】同じく、止水プラグに止水キャップを取付けた状態の縦断側面図である。
【図５】同じく、水よけカバーを取外した止水終了状態の側面図である。
【符号の説明】
【００４１】
１                分岐用半割継手
２                水道本管
３                分岐孔
４                分岐管
５                仕切弁
６                雌ねじ
７                枝管
８                止水装置
９                止水プラグ
１０              水よけカバー
１０ａ            隔壁
１１              止水キャップ
１２              大径部
１３              雄ねじ部
１４              小径部
１５              頭部
１６              雄ねじ
１７              ガイド部
１８              中空孔
１９              水抜き孔
２０              雌ねじ孔
２１              雌ねじ
２２              頭部
２３              環状凹溝
２４              パッキン
【図１】
2005265086.tif 000003
【図２】
2005265086.tif 000004
【図３】
2005265086.tif 000005
【図４】
2005265086.tif 000006
【図５】
2005265086.tif 000007